【事件の表示】
　平成１１年特許願第２０９７５７号「チルト検出装置および光ディスク装置、チルト制御方法」拒絶査定に対する審判事件〔平成１２年　９月　８日出願公開、特開２０００−２４２９５０、請求項の数（４）〕について、次のとおり審決する。
【結　論】
　原査定を取り消す。
　本願の発明は、特許すべきものとする。
【理　由】
１．手続の経緯・本願発明
　本願は、平成１１年　７月２３日（遡及出願平成１１年　６月３０日優先権主張　平成１０年　９月１４日　平成１０年１２月２２日）の出願であって、その請求項１乃至４に係る発明は、平成１２年４月１７日付、平成１２年７月３１日付、平成１３年９月１７日付および平成１４年３月１８日付の手続補正書により補正された明細書および図面の記載からみて特許請求の範囲の請求項１乃至４に記載された事項により特定される次のとおりのものであると認める。
「【請求項１】　同心円またはスパイラル状に略一定幅で連続して形成した連続トラックと、該連続トラックに一定間隔ごとに設けられ、かつトラックの中心からトラックの第１側方および第２側方にそれぞれずらせて形成した第１シフトピットと第２シフトピットを有し、前記第１シフトピットは繰り返し連続して設けられ、続いて前記第２シフトピットが繰り返し連続して設けられている光ディスクの記録面の傾きを検出するチルト検出装置であって、
　前記光ディスクに光ビームを絞った光スポットをあて、信号の記録再生を行う光ヘッドと、
　前記光ディスクからの反射光を、トラック方向の線に沿って２分割された第１、第２受光素子で受光する２分割光検出器と、
　前記光スポットを、前記連続トラックからの反射光を前記２分割光検出器で受光した後の差動信号であるプシュプルＴＥ信号を用いてトラック上に位置制御するトラッキング制御手段と、
　前記第１シフトピットからの反射光を２分割光検出器で受光し、第１、第２受光素子からの出力の和である第１和信号（Ｌ）と、前記第２シフトピットからの反射光を２分割光検出器で受光し、第１、第２受光素子からの出力の和である第２和信号（Ｍ）とを比較することによって前記トラックのセンタと光スポットのセンタとのずれ量であるオフセット量を出力するオフトラック検出手段と、
　前記オフセット量を前記トラッキング制御手段に加算し、光スポットがトラックのセンタに位置された状態で、前記連続トラックからの反射光を前記第１、第２受光素子で受け、両受光素子からの信号の差である差信号（プシュプル信号）を用いて前記光ビームの光軸に対する光ディスクの記録面の傾きを検出するチルト検出手段を有することを特徴とするチルト検出装置。
　　【請求項２】　前記第１シフトピットが繰り返される間隔であるスペースＬｓは、ピット長をＬｐとした場合、Ｌｐ＜Ｌｓ＜２Ｌｐであることを特徴とする請求項１に記載のチルト検出装置。
　　【請求項３】　同心円またはスパイラル状に略一定幅で連続して形成した連続トラックと、該連続トラックに一定間隔ごとに設けられ、かつトラックの中心からトラックの第１側方および第２側方にそれぞれずらせて形成した第１シフトピットと第２シフトピットを有し、前記第１シフトピットは繰り返し連続して設けられ、続いて前記第２シフトピットが繰り返し連続して設けられている光ディスクの記録面の傾きを検出し、補正する光ディスク装置であって、
　前記光ディスクに光ビームを絞った光スポットをあて、信号の記録再生を行う光ヘッドと、
　前記光ディスクからの反射光を、トラック方向の線に沿って２分割された第１、第２受光素子で受光する２分割光検出器と、
　前記光スポットを、前記連続トラックからの反射光を前記２分割光検出器で受光した後の差動信号であるプシュプルＴＥ信号を用いてトラック上に位置制御するトラッキング制御手段と、
　前記第１シフトピットからの反射光を２分割光検出器で受光し、第１、第２受光素子からの出力の和である第１和信号（Ｌ）と、前記第２シフトピットからの反射光を２分割光検出器で受光し、第１、第２受光素子からの出力の和である第２和信号（Ｍ）とを比較することによって前記トラックのセンタと光スポットのセンタとのずれ量であるオフセット量を出力するオフトラック検出手段と、
　前記オフセット量を前記トラッキング制御手段に加算し、光スポットがトラックのセンタに位置された状態で、前記連続トラックからの反射光を前記第１、第２受光素子で受け、両受光素子からの信号の差である差信号（プシュプル信号）を用いて前記光ビームの光軸に対する光ディスクの記録面の傾きを検出するチルト検出手段と、
　前記チルト検出手段により検出されたチルト量により光ディスクの角度を補正するチルト補正手段とを有することを特徴とする光ディスク装置。
　　【請求項４】　同心円またはスパイラル状に略一定幅で連続して形成した連続トラックと、該連続トラックに一定間隔ごとに設けられ、かつトラックの中心からトラックの第１側方および第２側方にそれぞれずらせて形成した第１シフトピットと第２シフトピットを有し、前記第１シフトピットは繰り返し連続して設けられ、続いて前記第２シフトピットが繰り返し連続して設けられている光ディスクの記録面の傾きを検出するチルト検出方法であって、
　前記光ディスクに光ビームを絞った光スポットをあて、
　前記光ディスクからの反射光を、トラック方向の線に沿って２分割された第１、第２受光素子で受光し、
　前記光スポットを、前記連続トラックからの反射光を前記２分割光検出器で受光した後の差動信号であるプシュプルＴＥ信号を用いてトラック上に位置制御するトラッキング制御を行い、
　前記第１シフトピットからの反射光を２分割光検出器で受光し、第１、第２受光素子からの出力の和である第１和信号（Ｌ）と、前記第２シフトピットからの反射光を２分割光検出器で受光し、第１、第２受光素子からの出力の和である第２和信号（Ｍ）とを比較することによって前記トラックのセンタと光スポットのセンタとのずれ量であるオフセット量を出力するオフトラック検出信号を生成し、
　前記オフセット量を前記プシュプルＴＥ信号に加算し、光スポットがトラックのセンタに位置された状態で、前記連続トラックからの反射光を前記第１、第２受光素子で受け、両受光素子からの信号の差である差信号（プシュプル信号）を用いて前記光ビームの光軸に対する光ディスクの記録面の傾きを検出することを特徴とするチルト検出方法。」
　
２．原査定の拒絶の理由の概要
　これに対して、原査定の拒絶の理由の概要は、この出願は特許請求の範囲および発明の詳細な説明の記載が下記の点で不備であるから特許法第３６条第４項および第６項に規定する要件を満たしていない、として概略次の点が指摘された。
（イ）「請求項１〜６に記載された「連続トラックからの……差信号（プシュプル信号）を用いて……光ディスクの記録面の傾きを検出する」構成に関する明確な説明が、発明の詳細な説明中においてなされていない。」および
「落番号００１０について　「本発明は、……光ディスクの内周、中周、外周の各半径位置で……傾きを補正」する旨記載されているが、特許請求の範囲には上記記載に対応する構成は何ら記載されていない。」以下省略
（ロ）「請求項１〜６に記載された「連続トラックからの……差信号（プシュプル信号）を用いて……光ディスクの記録面の傾きを検出する」構成とはどの様なものを指しているのか不明である。」
　
３．判断
　指摘された不明点は、平成１４年３月１８日付の手続補正書により解消された。
　すなわち、プッシュプル信号を用いてトラッキングを行った状態での第１和信号と第２和信号は、図２５に記載されるようにチルトなどによって生ずる振幅の相違を有するものであり、この検出信号によりオフセットの補正が可能となることは明らかである。そして、オフセットの補正が行われた状態では、プッシュプル信号がチルト量を示すことは明らかであり、オフセット補正を行う前後で連続溝からのプッシュプル信号の示すものが異なることも明らかである。
　したがって、補正により明らかとなった、連続トラックに一定間隔毎に設けられた連続するシフトピットを用いてトラッキングのオフセット補正を行った状態で連続溝でのプッシュプル信号からチルトを検出する本願発明の構成に、指摘されるような不明点はない。
　
４．むすび
　以上のとおりであるから、本願については、原査定の拒絶理由によって拒絶すべきものとすることはできない。
　また、他に本願を拒絶すべき理由を発見しない。
　よって、結論のとおり審決する。